(57)【特許請求の範囲】
【請求項１】
スピーカを取り付け可能な画像表示装置であって、
前記スピーカを前記画像表示装置の左右両側に１つずつ取り付け可能で、かつ、２つの前記スピーカを前記画像表示装置の上辺若しくは下辺に取り付け可能な構造を有し、更に、２つの前記スピーカを前記画像表示装置の上辺若しくは下辺に取り付けた場合に、２つの前記スピーカを合わせた長さが前記画像表示装置の横幅に相当し、前記スピーカを前記画像表示装置の左右両側に１つずつ取り付けた場合に、前記画像表示装置の縦幅と前記スピーカの長さとの差分を埋め合わせるための隙間埋め部材を、前記画像表示装置の左右両側に取り付け可能な構造を有し、
センターチャネルの音響信号、右チャネルの音響信号及び左チャネルの音響信号が外部信号源から入力され、
少なくとも１つの前記スピーカが前記画像表示装置の上辺若しくは下辺に取り付けられているのか、又は、２つの前記スピーカが前記画像表示装置の左右両側に取り付けられているのかを検知する検知手段と、
前記検知手段により少なくとも１つの前記スピーカが前記画像表示装置の上辺若しくは下辺に取り付けられていると検知された場合は、前記スピーカに前記外部信号源から入力されたセンターチャネルの音響信号を前記スピーカに供給し、前記検知手段により２つの前記スピーカが前記画像表示装置の左右両側に取り付けられていると検知された場合は、前記外部信号源から入力された右チャネルの音響信号及び左チャネルの音響信号を夫々対応する前記スピーカに供給する供給手段と、
を有することを特徴とする画像表示装置。
【請求項２】
スピーカを取り付け可能な画像表示装置であって、
前記スピーカを前記画像表示装置の左右両側に１つずつ取り付け可能で、かつ、２つの前記スピーカを前記画像表示装置の上辺若しくは下辺に取り付け可能な構造を有し、更に、２つの前記スピーカを前記画像表示装置の上辺若しくは下辺に取り付けた場合に、２つの前記スピーカを合わせた長さが前記画像表示装置の横幅に相当し、前記スピーカを前記画像表示装置の左右両側に１つずつ取り付けた場合に、前記画像表示装置の縦幅と前記スピーカの長さとの差分を埋め合わせるための隙間埋め部材を、前記画像表示装置の左右両側に取り付け可能な構造を有し、
右チャネルの音響信号及び左チャネルの音響信号が外部信号源から入力され、前記外部信号源から入力された右チャネルの音響信号及び左チャネルの音響信号を基にセンターチャネルの音響信号を生成する生成手段を更に有し、
前記検知手段により少なくとも１つの前記スピーカが前記画像表示装置の上辺若しくは下辺に取り付けられていると検知された場合は、前記生成手段により生成されたセンターチャネルの音響信号を前記スピーカに供給し、前記検知手段により２つの前記スピーカが前記画像表示装置の左右両側に取り付けられていると検知された場合は、前記外部信号源から入力された右チャネルの音響信号及び左チャネルの音響信号を夫々対応する前記スピーカに供給することを特徴とする画像表示装置。
【請求項３】
スピーカを取り付け可能な画像表示装置の制御方法であって、
前記スピーカを前記画像表示装置の左右両側に１つずつ取り付け可能で、かつ、２つの前記スピーカを前記画像表示装置の上辺若しくは下辺に取り付け可能な構造を有し、更に、２つの前記スピーカを前記画像表示装置の上辺若しくは下辺に取り付けた場合に、２つの前記スピーカを合わせた長さが前記画像表示装置の横幅に相当し、前記スピーカを前記画像表示装置の左右両側に１つずつ取り付けた場合に、前記画像表示装置の縦幅と前記スピーカの長さとの差分を埋め合わせるための隙間埋め部材を、前記画像表示装置の左右両側に取り付け可能な構造を有し、
センターチャネルの音響信号、右チャネルの音響信号及び左チャネルの音響信号が外部信号源から入力され、
少なくとも１つの前記スピーカが前記画像表示装置の上辺若しくは下辺に取り付けられているのか、又は、２つの前記スピーカが前記画像表示装置の左右両側に取り付けられているのかを検知する検知工程と、
前記検知工程により少なくとも１つの前記スピーカが前記画像表示装置の上辺若しくは下辺に取り付けられていると検知された場合は、前記スピーカに前記外部信号源から入力されたセンターチャネルの音響信号を前記スピーカに供給し、前記検知手段により２つの前記スピーカが前記画像表示装置の左右両側に取り付けられていると検知された場合は、前記外部信号源から入力された右チャネルの音響信号及び左チャネルの音響信号を夫々対応する前記スピーカに供給する供給工程と、
を有することを特徴とする画像表示装置の制御方法。
【請求項４】
スピーカを取り付け可能な画像表示装置の制御方法であって、
前記スピーカを前記画像表示装置の左右両側に１つずつ取り付け可能で、かつ、２つの前記スピーカを前記画像表示装置の上辺若しくは下辺に取り付け可能な構造を有し、更に、２つの前記スピーカを前記画像表示装置の上辺若しくは下辺に取り付けた場合に、２つの前記スピーカを合わせた長さが前記画像表示装置の横幅に相当し、前記スピーカを前記画像表示装置の左右両側に１つずつ取り付けた場合に、前記画像表示装置の縦幅と前記スピーカの長さとの差分を埋め合わせるための隙間埋め部材を、前記画像表示装置の左右両側に取り付け可能な構造を有し、
右チャネルの音響信号及び左チャネルの音響信号を外部信号源から入力され、前記外部信号源から入力された右チャネルの音響信号及び左チャネルの音響信号を基にセンターチャネルの音響信号を生成する生成工程を更に有し、
前記検知工程により少なくとも１つの前記スピーカが前記画像表示装置の上辺若しくは下辺に取り付けられていると検知された場合は、前記生成工程により生成されたセンターチャネルの音響信号を前記スピーカに供給し、前記検知工程により２つの前記スピーカが前記画像表示装置の左右両側に取り付けられていると検知された場合は、前記外部信号源から入力された右チャネルの音響信号及び左チャネルの音響信号を夫々対応する前記スピーカに供給することを特徴とする画像表示装置の制御方法。
【発明の詳細な説明】
【０００１】
【発明の属する技術分野】
本発明は、スピーカと共に使用される画像表示装置及びその制御方法に関するものである。
【０００２】
【従来の技術】
従来、ＴＶ受像器やモニタ等の画像表示装置において、ステレオ音響を再生するために左側音響（Ｌ−ｃｈ）と右側音響（Ｒ−ｃｈ）のそれぞれに専用スピーカを配置して音響信号を再生している。これらＬ−ｃｈとＲ−ｃｈの再生用スピーカは、画像表示装置内の左右に内蔵されていたり、或いはオプションとして、画像表示装置の左右に直接取り付ける専用スピーカ等がある。
【０００３】
一方、高品質のいわゆるＨｉ−Ｆｉ再生を行うためには、画像表示装置とは別体の大きめのスピーカを設置する場合もある。しかしこの場合には、Ｌ−ｃｈとＲ−ｃｈの両スピーカの間隔が開き過ぎると、映画等の再生時には台詞等が中央に定位しにくいと言う弊害が生じる。そこで、これを解決するためにセンタースピーカと呼ばれる、主に人間の声の帯域音響（Ｃ−ｃｈ）を再生するスピーカを画像表示装置の上部や下部に配置する場合も多い。
【０００４】
この時、ＣＲＴを用いた画像表示装置であれば、その装置の大きさには充分な奥行きがあるので、このようなセンタースピーカは、その画像表示装置の筐体の上部に載せて用いたり、下側の床に直接設置できる。
【０００５】
【発明が解決しようとする課題】
しかしながら、液晶ディスプレイやＰＤＰ、ＳＥＤ等の薄型の表示パネルを使用した画像表示装置の場合では、その奥行きはせいぜい１０ｃｍ程度以下である。このような薄型の表示用パネルを用いた画像表示装置の厚みに合わせたＬ−ｃｈとＲ−ｃｈのスピーカが用意されているが、これらに用いられるセンタースピーカは特に用意されていない。従って、これら薄型の画像表示装置の上部に、奥行きの有る別体のセンタースピーカを載せることは不可能であり、また下側の床面に設置すると、画像表示装置が薄いために場所を取らないというメリットが活かせない。
【０００６】
又、「壁掛けＴＶ」として、壁面に薄型の画像表示装置を設置する場合、センタースピーカのための信号線を這わせるのは美観上も問題がある。
【０００７】
本発明は上記従来例に鑑みてなされたもので、スピーカを画像表示装置本体の左右若しくは上（下）のいずれかに直接取り付けられるようにし、かつ、それらスピーカの配置された位置に応じて、各スピーカに供給される音響信号を制御できるようにした画像表示装置及びその制御方法を提供することを目的とする。
【０００８】
【課題を解決するための手段】
上記目的を達成するために本発明の画像表示装置は以下のような構成を備える。即ち、
スピーカを取り付け可能な画像表示装置であって、
前記スピーカを前記画像表示装置の左右両側に１つずつ取り付け可能で、かつ、２つの前記スピーカを前記画像表示装置の上辺若しくは下辺に取り付け可能な構造を有し、更に、２つの前記スピーカを前記画像表示装置の上辺若しくは下辺に取り付けた場合に、２つの前記スピーカを合わせた長さが前記画像表示装置の横幅に相当し、前記スピーカを前記画像表示装置の左右両側に１つずつ取り付けた場合に、前記画像表示装置の縦幅と前記スピーカの長さとの差分を埋め合わせるための隙間埋め部材を、前記画像表示装置の左右両側に取り付け可能な構造を有し、
センターチャネルの音響信号、右チャネルの音響信号及び左チャネルの音響信号が外部信号源から入力され、
少なくとも１つの前記スピーカが前記画像表示装置の上辺若しくは下辺に取り付けられているのか、又は、２つの前記スピーカが前記画像表示装置の左右両側に取り付けられているのかを検知する検知手段と、
前記検知手段により少なくとも１つの前記スピーカが前記画像表示装置の上辺若しくは下辺に取り付けられていると検知された場合は、前記スピーカに前記外部信号源から入力されたセンターチャネルの音響信号を前記スピーカに供給し、前記検知手段により２つの前記スピーカが前記画像表示装置の左右両側に取り付けられていると検知された場合は、前記外部信号源から入力された右チャネルの音響信号及び左チャネルの音響信号を夫々対応する前記スピーカに供給する供給手段と、を有することを特徴とする。
【００１０】
上記目的を達成するために本発明の画像表示装置の制御方法は以下のような工程を備える。即ち、
スピーカを取り付け可能な画像表示装置の制御方法であって、
前記スピーカを前記画像表示装置の左右両側に１つずつ取り付け可能で、かつ、２つの前記スピーカを前記画像表示装置の上辺若しくは下辺に取り付け可能な構造を有し、更に、２つの前記スピーカを前記画像表示装置の上辺若しくは下辺に取り付けた場合に、２つの前記スピーカを合わせた長さが前記画像表示装置の横幅に相当し、前記スピーカを前記画像表示装置の左右両側に１つずつ取り付けた場合に、前記画像表示装置の縦幅と前記スピーカの長さとの差分を埋め合わせるための隙間埋め部材を、前記画像表示装置の左右両側に取り付け可能な構造を有し、
センターチャネルの音響信号、右チャネルの音響信号及び左チャネルの音響信号が外部信号源から入力され、
少なくとも１つの前記スピーカが前記画像表示装置の上辺若しくは下辺に取り付けられているのか、又は、２つの前記スピーカが前記画像表示装置の左右両側に取り付けられているのかを検知する検知工程と、
前記検知工程により少なくとも１つの前記スピーカが前記画像表示装置の上辺若しくは下辺に取り付けられていると検知された場合は、前記スピーカに前記外部信号源から入力されたセンターチャネルの音響信号を前記スピーカに供給し、前記検知手段により２つの前記スピーカが前記画像表示装置の左右両側に取り付けられていると検知された場合は、前記外部信号源から入力された右チャネルの音響信号及び左チャネルの音響信号を夫々対応する前記スピーカに供給する供給工程と、を有することを特徴とする。
【００１２】
【発明の実施の形態】
以下、添付図面を参照して本発明の好適な実施の形態を詳細に説明する。
【００１３】
［実施の形態１］
図１は、本発明の実施の形態に係る画像表示装置と専用スピーカの配置例を示す図である。
【００１４】
図において、１は画像表示装置本体を示している。２は左チャネル用の専用スピーカで、３は右チャネル用の専用スピーカである。２０は左側面用隙間埋め部材、３０は右側面用隙間埋め部材である。そして同図（ａ）は左チャネル用と右チャネル用の専用スピーカ２，３をそれぞれ画像表示装置本体１の両サイドに取り付け、Ｌ−ｃｈとＲ−ｃｈの音響を出力させる状態を示している。また図１（ｂ）は、両専用スピーカ２，３を画像表示装置本体１の下辺に取り付けてセンタースピーカとして用い、Ｃ−ｃｈの音響を出力させる状態を示している。
【００１５】
ここで図１（ａ）に示すように、専用スピーカ２，３をそれぞれ画像表示装置本体１の両サイドに取り付ける際には、画像表示装置本体１と専用スピーカ２，３の高さの違いを合わせるために、側面用隙間埋め部材２０及び３０を用い、外観上、画像表示装置本体１と専用スピーカ２，３の高さを一致させている。
【００１６】
また図１（ｂ）においても、両専用スピーカ２，３の２つのスピーカの幅を合わせた長さが、画像表示装置１の横幅に相当している。
【００１７】
図２は、図１（ｂ）に示すように、専用スピーカ２，３をセンタースピーカとして用いた場合、別体の外部スピーカ８１と８２をそれぞれ左、右チャネルの専用スピーカとして配置した様子を示した図であり、外部スピーカ８１と８２はそれぞれ不図示の信号源である外部コントローラからＬ−ｃｈとＲ−ｃｈの音響信号を受ける。
【００１８】
又、図３は、音響信号の流れのみに着目して描いた本実施の形態１に係るスピーカ駆動回路の構成を示すブロック図である。
【００１９】
同図において、１、２，３及び８１，８２は、前述の図１、図２と同様に、それぞれ画像表示装置本体、左チャネル用と右チャネル用の専用スピーカ、外部スピーカを示している。４は画像表示装置本体に映像及び音響信号を供給すると共に制御を行う外部コントローラ、５は外部スピーカ８２，８３を駆動する外部アンプを示している。１１はスピーカ取り付け位置検知部、１２は専用スピーカ２，３を駆動するためのパワーアンプ、１３は音響信号切り換え部、１４は画像表示装置本体１を制御するＣＰＵ、１５はＣＰＵ１４により実行されるプログラムや各種データを記憶するメモリである。４１は専用スピーカの音量を調整する第１の音量設定部であるアッテネータ、４２は外部スピーカの音量を調整する第２の音量設定部であるアッテネータ、４３は全てのスピーカの音量を一元的にコントロールするマスターボリューム、５２，５３は外部スピーカ駆動用パワーアンプである。
【００２０】
スピーカ取り付け位置検知部１１は、専用スピーカ２，３が画像表示装置本体１の両サイドに取り付けられているのか、それとも画像表示装置本体１の下辺に取り付けられてセンタースピーカとして用いられているかを検知し、ＣＰＵ１４は、その検知結果に基づいて音響信号切り換え部１３を制御して、パワーアンプ１２に入力する音響信号を切り換える。スピーカ取り付け位置検知部１１は、専用スピーカ２，３が画像表示装置本体１の下辺に取り付けられていると検知した場合には、Ｃ−ｃｈの音響信号をパワーアンプ１２に供給し、Ｌ−ｃｈとＲ−ｃｈの音響は外部アンプ５と外部スピーカ８２，８３から再生される。
【００２１】
アッテネータ４１，４２は、専用スピーカ２，３と外部スピーカ８２，８３のバランスを調整するためのもので、両者を併せた全体の音量はマスターボリューム４３により一元的に制御される。
【００２２】
又、専用スピーカ２，３が画像表示装置本体１の左右両サイドに取り付けられている場合には、スピーカ取り付け位置検出部１１は、専用スピーカ２，３が画像表示装置本体１の下辺に取り付けられてはいないと判断し、専用スピーカ２，３にＬ−ｃｈとＲ−ｃｈの音響をそれぞれ供給する。そしてこの時には、外部アンプ５及び外部スピーカ８２，８３は、特に必要としない。
【００２３】
図４は、本実施の形態に係る画像表示装置１のＣＰＵ１４による制御処理を示すフローチャートで、この処理を実行する制御プログラムはメモリ１５に記憶されている。
【００２４】
図４のフローチャートは、まずステップＳ１０１で処理を開始し、次にステップＳ１０２に進み、スピーカ取り付け位置検知部１１から入力される検知結果に基づいて、専用スピーカ２，３が画像表示装置１の本体の両サイドに取り付けられているのか、それとも画像表示装置１の下部に取り付けられてセンタースピーカとして用いられているかを判定する。両サイドに取付けられている場合はステップＳ１０３に進み、専用スピーカ２，３にＬ−ｃｈとＲ−ｃｈの音響をそれぞれ供給する。
【００２５】
一方、ステップＳ１０２で、画像表示装置１の下部に取り付けられてセンタースピーカとして用いられている場合はステップＳ１０４に進み、Ｃ−ｃｈの音響信号をパワーアンプ１２に供給し、Ｌ−ｃｈとＲ−ｃｈの音響を外部アンプ５に供給する。これにより、左右チャネルの音響は外部スピーカ８２，８３から再生される。
【００２６】
次に、本実施の形態に係るスピーカ取り付け位置検知部１１について説明する。
【００２７】
図５は、本実施の形態に係る専用専用スピーカ２，３を画像表示装置本体１の下辺に取り付ける固定部の断面図である。図において、中央に水平に引かれた点線より上側が画像表示装置１の本体を示し、下側が専用スピーカ２，３を示している。
【００２８】
同図において、１００は画像表示装置１の筐体部分である。１１１，１１２，１１３，１１４のそれぞれは、本実施の形態に係るスピーカ取り付け位置検知部１１を構成しており、１１１はスピーカ取り付け位置の検知結果を出力する出力端子、１１２は第１の電極兼ナット、１１３は第２の電極兼ナット、１１４はプルアップ抵抗を示している。２０１はスピーカ２，３の筐体部分、２０２及び２０３は専用スピーカ２，３の固定用ボルトである。
【００２９】
これらのうち、第１及び第２の電極兼ナット１１２，１１３と、スピーカ２，３の筐体部分２０１、専用スピーカ固定用ボルト２０２，２０３は、金属等の導電性部材である。第１及び第２の電極兼ナット１１２，１１３は、プラスチックス樹脂製である画像表示装置１の筐体１００に埋め込まれるようにして固定されている。
【００３０】
また、第１の電極兼ナット１１２はＧＮＤに接続され、第２の電極兼ナット１１３は、プルアップ抵抗１１４を介して５Ｖ電源ラインに接続されるとともに、スピーカ取り付け位置の検知結果を出力するための出力端子１１１と接続されている。
【００３１】
この状態で、画像表示装置１の下部に専用スピーカ２，３が取り付けられていない時、第２の電極兼ナット１１３はプルアップ抵抗１１４で５Ｖ電源ラインにプルアップされているため出力端子１１１にはハイレベル（５Ｖ）の信号が出力される。そして、この位置に専用スピーカ２，３が取り付けられると、第２の電極兼ナット１１３は、専用スピーカ固定用ボルト２０２，２０３及び専用スピーカの筐体２０１によって第１の電極兼ナット１１２と電気的に接続される。このため、スピーカ取り付け位置の検知結果を出力する出力端子１１１にはロウレベル（０Ｖ）の信号が出力される。ＣＰＵ１５は、出力端子１１１からの出力信号がハイレベルであるか、ロウレベルであるかをチェックすることにより、専用スピーカ２，３が、画像表示装置１の左右両サイド、或いはその下部のいずれに取り付けられているかを判定することができる。
【００３２】
尚、ここではスピーカ取り付け位置検知部１１を、画像表示装置本体１の下側スピーカ取り付け位置に配置した状態について説明したが、画像表示装置１の両サイド取り付け位置に配置しても、スピーカ取り付け位置の検知結果の極性が反転するだけで同様の効果が得られることは言うまでもない。
【００３３】
また、このスピーカ取り付け位置検知部１１は、２つの専用スピーカ２ないし３のいずれか一方のみに配置すれば良い。さらには、専用スピーカ２，３をセンタースピーカとして用いる際には画像表示装置１の本体の下辺ではなく、上辺に取り付ける様にしても構わない。
【００３４】
次に、専用スピーカ２，３について説明する。
【００３５】
図６は、専用スピーカ２，３のスピーカユニット配置を示す図であり、（ａ）は専用スピーカ２，３を画像表示装置１の両サイドに取り付けて、Ｌ−ｃｈとＲ−ｃｈの音響を出力させる際の向きを示している。また（ｂ）は、画像表示装置１の本体の下辺に取り付けて、センタースピーカとして用いる際の向きを表わしている。
【００３６】
図において、２１，３１はそれぞれ専用スピーカ２，３の固定部分、２２，２３，３２，３３は中低域再生用スピーカユニット（ウーハ）、２４，３４は高域再生用スピーカユニット（ツイータ）である。
【００３７】
専用スピーカ２，３は、高音域を主に再生するツイータ２４，３４と、中低域を主に再生するウーハを備え、それぞれ帯域を分割して再生する。
【００３８】
専用スピーカ２，３は、画像表示装置１の本体の両サイドに取り付けられて、Ｌ−ｃｈとＲ−ｃｈの音響を出力させる場合には、図６（ａ）に示すように、ツイータ２４，３４が上方に来るように配置されて高域源が高い位置にくるように配置してステレオ感を持たせる。
【００３９】
一方、図６（ｂ）の様に、画像表示装置１の下辺に取り付けてセンタースピーカとして用いる際には、ツイータ２４，３４が内側に来るように配置して、高音源がセンター位置に定位するようにする。
【００４０】
［実施の形態２]
図７は、本発明の実施の形態２に係る画像表示装置の回路構成を示すブロック図である。この図７では、前述の実施の形態１における図３と同様に、音響信号の流れのみに着目して描いたものであり、図３と同様の機能を有するものには同一の番号が割り当ててある。また、外部アンプ５と外部スピーカ８２，８３に係わる部分は実施の形態１における図３と何ら変わらないので略してある。
【００４１】
図７において、１６はセンターチャネル音響再生ブロックで、Ｌ−ｃｈとＲ−ｃｈの音響信号を１：１の比率で混合するとともに、帯域制限をかけている。これは数百Ｈｚ以下と数ＫＨｚ以上の信号をカットし、人間の声に相当する帯域のみを抜き出してＣ−ｃｈ信号とすることにより、音楽や効果音等でのステレオ効果への影響を軽減するためである。
【００４２】
この様に、前述の実施の形態１では、外部コントローラ４からＬ−ｃｈ／Ｒ−ｃｈとＣ−ｃｈの全ての音響信号を入力していたのに対し、本実施の形態２では、外部コントローラ４からはＬ−ｃｈ／Ｒ−ｃｈの音響信号のみを入力し、画像表示装置１の内部でＣ−ｃｈ信号を生成する。
【００４３】
［実施の形態３］
図８は、本発明の実施の形態３に係る画像表示装置の構成を示すブロック図である。ここでも前述の実施の形態１における図３と同様に、音響信号の流れのみに着目して描写しており、図３と同様の機能を有するものには同一の番号を割り当ている。また、外部アンプ５と外部スピーカ８２，８３に係わる部分は実施の形態１における図３と何ら変わらないので略してある。
【００４４】
前述の実施の形態１では、外部コントローラ４からＬ−ｃｈ／Ｒ−ｃｈとＣ−ｃｈの全ての音響信号を入力していたのに対し、本実施の形態３では、ＣＰＵ１４がスピーカ取り付け位置検知部１１による検知結果に応じて、Ｌ−ｃｈ／Ｒ−ｃｈか、Ｃ−ｃｈのいずれかの音響信号を出力するよう、外部コントローラ４に指示する。
【００４５】
これにより、スピーカ取り付け位置に応じて、外部コントローラ４から、Ｌ−ｃｈＲ−ｃｈ或いはＣ−ｃｈ信号が入力される。
【００４６】
［実施の形態４］
次に、図９を参照して本発明の実施の形態４について説明する。
【００４７】
この実施の形態４では、前述の実施の形態１〜３におけるスピーカ取り付け位置検知部１１を変形例を示している。
【００４８】
図９は、実施の形態４に係るスピーカ取り付け位置検知部１１の構成を示す図で、専用スピーカ２，３を画像表示装置１の下辺に取り付ける固定部の断面図を示し、前述の実施の形態１における図５と同様の機能を有するものには同一の番号が割当てられている。
【００４９】
図９において、１１０はスピーカ取り付け位置検知部として機能しているマイクロスイッチであり、２００は専用スピーカ２，３の筐体で、この場合は導電性の有無はどちらでも構わない。
【００５０】
図９は、専用スピーカ２，３の固定用ボルト２０２を挿入しつつある状態を示し、この固定用ボルト２０２が完全に挿入されると、マイクロスイッチ１１０の接点が閉じられ、この位置に専用スピーカ２，３が取り付けられたことを検知する。
【００５１】
［実施の形態５］
次に、図１０を参照して本発明の実施の形態５について説明する。
【００５２】
この実施の形態５では、前述の実施の形態１〜３におけるスピーカ取り付け位置検知部１１を変形例を示している。
【００５３】
図１０は、この取り付け位置検知手段部１１を説明するための図で、専用スピーカ２，３を画像表示装置１の下辺に取り付ける固定部の断面図であり、前述の実施の形態１〜４における図５若しくは図９と同様の機能を有するものには同一の番号が割り当てられている。
【００５４】
図１０において、１１５は発光ダイオード、１１６はフォトトランジスタ、２１０はスピーカ検知用タブであり、専用スピーカ２，３の筐体に設けられた遮光性のある突起物である。
【００５５】
この位置に専用スピーカ２，３が取り付けられていない場合には、発光ダイオード１１５の発した光はフォトトランジスタ１１６に達し、フォトトランジスタ１１６はオン状態にある。そして、この位置に専用スピーカ２，３が取り付けられると、スピーカ検知用タブ２１０がこの光を遮ることによりフォトトランジスタ１１６をオフ状態にする。これにより、専用スピーカ２，３が取り付けられたことを検知する。
【００５６】
［実施の形態６］
図１１は、本発明の実施の形態６に係る画像表示装置におけるスピーカ駆動回路の構成を示すブロック図で、前述の実施の形態１における図３と同様に、音響信号の流れのみに着目して描いている。また図３と同様の機能を有するものには同一の番号が割り当ててある。また、外部アンプ５と外部スピーカ８２，８３に係わる部分は実施の形態１における図３と何ら変わらないので略してある。
【００５７】
図１１において、１２１はＬ−ｃｈ（左チャネル）用パワーアンプ、１２２はＲ−ｃｈ（右チャネル）用パワーアンプ、１２３と１２４はＣ−ｃｈ（センターチャネル）用パワーアンプ、１６１はＬ−ｃｈ用出力端子、１６２はＲ−ｃｈ用出力端子、１６３と１６４はＣ−ｃｈ用出力端子である。
【００５８】
本実施の形態６では、画像表示装置１の両サイド及び下辺に配置された専用スピーカ２及び３用取り付け部にそれぞれ電極を備え、その出力が１６１〜１６４の各ｃｈ用出力端子から出力される。即ち、画像表示装置１の左側面と右側面には、Ｌ−ｃｈ用出力端子１６１とＲ−ｃｈ用出力端子１６２が、下辺にはＣ−ｃｈ用出力端子１６３，１６４が配置されており、専用スピーカ２及び３を取り付けると自動的にこれらのいずれかの出力端子に接続される。
【００５９】
この実施の形態６では、前述の実施の形態１〜５におけるスピーカ取り付け位置検知部１１を有していないが、どの位置に専用スピーカ２，３を取り付けても自動的に、それぞれ対応するチャネルの音響信号が専用スピーカ２，３に供給されるて音響が再生される。
【００６０】
［実施の形態７］
次に本発明の実施の形態７について説明する。
【００６１】
この実施の形態７では、前述の実施の形態１〜６における専用スピーカ２，３のスピーカユニット配置を変更したものである。
【００６２】
図１２は、本発明の実施の形態７に係る専用スピーカ２，３のスピーカユニット配置を示す図であり、実施の形態１における図６と同様に、図１２（ａ）は専用スピーカ２，３を画像表示装置１の両サイドに取り付け、Ｌ−ｃｈとＲ−ｃｈの音響を出力させる際の配置を示し、図１２（ｂ）は下辺に取り付けて、センタースピーカとして用いる際の配置例を表わしている。図１２における各番号は、図６と同様のものを示す。
【００６３】
本実施の形態７では、専用スピーカ２，３を画像表示装置１の下辺に取り付けて、センタースピーカとして用いる場合の方向が、前述の実施の形態１と逆になっている。即ち、高域再生用スピーカユニット（ツイータ）２４，３４が左右両脇に来るように配置されている。但し、これらツイータ２４，３４は、専用スピーカ２，３を画像表示装置１の下辺に取り付けて、センタースピーカとして用いる場合には動作をしない。元来、Ｃ−ｃｈの音響信号は、高域成分をカットした信号なので、ツイータ２４，３４の再生すべき音響信号は無い。Ｃ−ｃｈに必要な中域成分のみがウーハ２２，２３，３２，３３から再生され、センター位置の定位を安定させる。
【００６４】
尚、Ｃ−ｃｈ信号生成部、例えば前述の実施の形態２に係る図７のセンターチャネル音響生成ブロック１５において、特に高域をカットする機能を持たせなくとも、ツイータ２４，３４の駆動を停止させるだけでも、同様の効果が期待できる。
【００６５】
また、専用スピーカ２，３をセンタースピーカとして用いる場合、中央よりの２つのウーハ２２と３２のみを駆動することにより、更にセンター位置の定位を安定させることも可能である。
【００６６】
［実施の形態８］
図１３は、本発明の実施の形態８に係る画像表示装置１の下辺に専用スピーカを１台のみ取り付けた場合を説明する図である。
【００６７】
図１３において、７は専用スピーカ、７１（図１４）は専用スピーカ７の固定部分、７２は左側隙間埋め部材、７３は右側隙間埋め部材である。
【００６８】
この実施の形態８では、専用スピーカ７の左チャネル用と右チャネル用の差は無く全く同一のものであり、構造上左右対称となる。
【００６９】
図１４は、この専用スピーカ７のユニット配列を示したもので、図１４（ａ）は高域専用スピーカユニット（ツイータ）７４を中央に配置し、その両側にウーハ７５を配置した例を示している。また図１４（ｂ）は、中央にウーハ７５を、そしてその両端にツイータ７４を配置した例を示している。
【００７０】
そして図１４（ｂ）に示すように、ツイータ７４を両端に配置した専用スピーカをセンタースピーカとして用いる際には、前述の実施の形態７と同様に、高域音響の再生を担うツイータ７４は、その出力を停止させ、センター位置の定位を安定させる。
【００７１】
また、前述の実施の形態１〜８において、外部コントローラ４から画像表示装置１に外供給される音響信号や、音響切り換え部１３、センターチャネル音響生成ブロック１５での処理は、アナログ信号であってもデジタル信号であっても構わない。
【００７２】
また、各実施の形態ともにスピーカ駆動用パワーアンプ１２、Ｌ−ｃｈ（左チャネル）用パワーアンプ１２１、Ｒ−ｃｈ（右チャネル）用パワーアンプ１２２、Ｃ−ｃｈ（センターチャネル）用パワーアンプ１２３，１２４は、本実施の形態に係る画像表示装置１に内蔵されていても或いは専用スピーカ２，３に内蔵されていても良い。
【００７３】
なお本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００７４】
また本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００７５】
更に、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【００７６】
以上説明した様に本実施の形態によれば、薄型の画像表示装置本体の厚みを考慮した薄型の専用スピーカを、ユーザの好みによって、画像表示装置本体の左右若しくは上（下）のいずれかに直接取り付けられるようにし、かつ、画像表示装置本体は、それらスピーカの配置位置に応じてスピーカへの音響信号の供給を制御することができる。
【００７７】
これにより、スピーカが、左右／上（下）のいずれに取り付けられたかによって自動的にＬ−ｃｈとＲ−ｃｈかＣ−ｃｈの音響がスピーカから出力されるので、薄型画像表示装置の薄いというメリットを活かしつつ、信号線の這い廻し等による美観を損なうことも無く、センタースピーカを設置出来、よりリアルな音場効果を期待できる。
【００７８】
尚、上記実施の形態では、スピーカが配置された位置を検出するための検知手段を有し、その検知結果に従って、各スピーカに出力する音響信号を制御するように説明したが本発明はこれに限定されるものでなく、例えばユーザがリモコンなどを使用して画像表示装置にスピーカの配置を指示し、その指示されたスピーカの配置に従って、各スピーカに出力する音響信号を制御するようにしても良い。
【００７９】
【発明の効果】
以上説明したように本発明によれば、スピーカを画像表示装置本体の左右若しくは上（下）のいずれかに直接取り付けられるようにし、かつ、それらスピーカの配置された位置に応じて、各スピーカに供給される音響信号を制御できるという効果がある。
【図面の簡単な説明】
【図１】本発明の実施の形態に係る画像表示装置本体とスピーカの取り付け位置の具体例を示す図である。
【図２】本実施の形態に係る画像表示装置本体とスピーカ及び別体スピーカの設置例を示す図である。
【図３】本発明の実施の形態１に係るスピーカ駆動回路の構成を示すブロック図である。
【図４】本実施の形態に係る画像表示装置におけるスピーカへの音響信号の出力制御を説明するフローチャートである。
【図５】本実施の形態１に係るスピーカ取り付け固定部の断面図である。
【図６】本実施の形態１に係る専用スピーカのスピーカユニットの配置例を示す図である。
【図７】本発明の実施の形態２に係るスピーカ駆動回路の構成を示すブロック図である。
【図８】本発明の実施の形態３に係るスピーカ駆動回路の構成を示すブロック図である。
【図９】本発明の実施の形態４に係るスピーカ取り付け位置検知部の構成を示す図である。
【図１０】本発明の実施の形態５に係るスピーカ取り付け位置検知部の構成を示す図である。
【図１１】本発明の実施の形態６に係るスピーカ駆動回路の構成を示すブロック図である。
【図１２】本発明の実施の形態７に係る専用スピーカのスピーカユニット配置を示す図である。
【図１３】本発明の実施の形態８に係る画像表示装置の下辺に専用スピーカを１台のみ取り付けた場合を説明する図である。
【図１４】本発明の実施の形態８に係る専用スピーカのスピーカユニットの配置例を示す図である。
【符号の説明】
１  画像表示装置本体
２  左チャネル用の専用スピーカ
３  右チャネル用の専用スピーカ
１１  スピーカ取り付け位置検知部
４１，４２  アッテネータ
４３  マスターボリューム
【図１】
0004683593.tif 000002
【図２】
0004683593.tif 000003
【図３】
0004683593.tif 000004
【図４】
0004683593.tif 000005
【図５】
0004683593.tif 000006
【図６】
0004683593.tif 000007
【図７】
0004683593.tif 000008
【図８】
0004683593.tif 000009
【図９】
0004683593.tif 000010
【図１０】
0004683593.tif 000011
【図１１】
0004683593.tif 000012
【図１２】
0004683593.tif 000013
【図１３】
0004683593.tif 000014
【図１４】
0004683593.tif 000015